(57)【特許請求の範囲】
【請求項１】
可撓性の長いバンド体の基部に筒形の挿入部が設けられ、この挿入部の内部にその入口側から出口側に向かって突き出た弾性変形可能な爪片が設けられ、上記バンド体に、このバンド体を上記挿入部に入口側から出口側に向けて挿入するときには上記爪片を乗り越えかつ上記バンド体が上記挿入部に挿入されているときには上記爪片に係止してそのバンド体の出口側から入口側に向く引抜きを阻止する多数の爪部が鋸歯状に並べて設けられている結束バンドにおいて、
上記爪片の背面側に、その爪片の基部と先端部との間に亘るリブが設けられており、
上記爪片と上記リブとの両方の先端面が、上記爪部を係止する面一の係止面として形成されていることを特徴とする結束バンド。
【請求項２】
上記爪部が、上記爪片の先端面に係止される立上り面と、この立上り面の反対側に位置する傾斜面と、上記立上り面の先端と上記傾斜面の先端とをつなぐ幅広頂面とを有して断面台形状に形成されている請求項１に記載した結束バンド。
【請求項３】
上記爪片との対向箇所に位置する上記挿入部の内面が、その挿入部に挿入された上記バンド体の上記爪片に対する後退変位を阻止する支持面として形成されている請求項１、請求項２のいずれかに記載した結束バンド。
【発明の詳細な説明】
【０００１】
【発明の属する技術分野】
本発明は、主に袋物や施錠部分などを封緘するときに用いられる結束バンドに関する。
【０００２】
【従来の技術】
この種の従来の結束バンドの要部を図１０に示してある。この結束バンドは合成樹脂の一体成形体で形成されていて、可撓性を有する長いバンド体１の基部１１に筒形の挿入部３が一体に設けられている。そして、挿入部３の内部に、その入口３１側から出口３２側に向かって斜めに突き出た弾性変形可能な爪片４が設けられている。この爪片４は、その基部４１だけが挿入部３に連設された薄い板片状に形成されているため、その爪片４の先端部４２が基部４１側に向けて強く押されたときには、爪片４がいびつに撓み変形を起こすことがあり、酷い場合は爪片４が座屈を起こすおそれもある。これに対し、バンド体１の裏面側に多数の爪部５が鋸歯状に並べて設けられている。これらの爪部５は、バンド体１の裏面から略直角に立ち上げられた立上り面５１と、この立上り面５１の反対側に位置する傾斜面５２とを有しており、立上り面５１と傾斜面５２との連設箇所である先端部５３は、アール処理されて丸みを帯びてはいるものの見掛け上は鋭角に尖った形状になっている。なお、バンド体１の基部１１には、上記した挿入部３と共に、板片部２が一体に連設されており、この板片部２がラベルの貼付箇所として利用したり、封緘時にバンド体１を引締めるための把手として利用したりすることができるようになっている。
【０００３】
このような従来の結束バンドにおいて、図１０に一点鎖線で示したようにループ状にしたバンド体１を、挿入部３に、その入口３１側から出口３２側に向けて挿通させると、同図に拡大して示したように、挿入部３側の爪片４を撓ませながら乗り越えたバンド体１側の所定の爪部５の立上り面５１が爪片４の先端部４２、具体的には先端面４２ａに係止され、挿入部３の出口３２側から入口３１側に向かってバンド体１が引き抜かれることを阻止する。したがって、ループを形成したバンド体１で、たとえば袋物の開き口を結束して封緘したり、施錠部分を封緘したりすることが可能である。
【０００４】
【発明が解決しようとする課題】
ところが、図１０で説明した従来の結束バンドにおいて、封緘状態すなわち挿入部３に挿通されたバンド体１の所定の爪部５が爪片４に係止しているときに、爪部５が爪片４の先端部４２をその基部４１側に向けて強く押しつけるような状況が生じたときには、その押付け力の大きさによっては、爪片４が、図１１のように、いびつな撓み変形ないし座屈を起こして反り返った形状になったり、爪片４の先端部４２や爪部５の先尖り状の先端部５３が強く押し合って押し潰されたりして初期の係止機能が損なわれることになる。
【０００５】
このような状況は、封緘作業時に、手動結束工具などの封緘工具を使って、故意に、推奨される締付け力以上の力でその結束バンドを引き締めておくことによっても生じるので、それを悪用すると、上記の爪片４と爪部５とによる係止機能を損なわせているにもかかわらず、挿入部３にバンド体１が適正に挿入されて封緘が行われているように見せかけるという「改ざん」を行うことが可能である。そして、このような「改ざん」が行われている場合に、図１０の矢印ａのように板片部２を引き上げたり、ループを形成しているバンド体１を引っ張ったりすると、バンド体１が挿入部３から容易に抜け出てしまうので、そのようにして封緘を解除することが可能である。
【０００６】
他方、結束バンドが６６ナイロンのような吸湿性を持つ合成樹脂で一体成形されているような場合には、高湿度環境下で、推奨される締付け力以上の力でその結束バンドが引き締められたときに、上記した「改ざん」が行われた場合と同じような状況が生まれて初期の係止機能が損なわれるという事態が起こり得る。
【０００７】
ところで、図１０に示した従来の結束バンドでは、爪片４との対向箇所に位置する挿入部３の内面を支持面３３として形成し、その支持面３３によって、挿入部３に挿入されたバンド体１の爪片４に対する後退変位を阻止するようにしてある。そのため、挿入部３に挿通されたバンド体１が爪片４に対し後退変位して爪片４から爪部５が外れるという事態は、その支持面３３の後退変位阻止作用によって防止される。しかしながら、そのような支持面３３による後退変位阻止作用だけによっては、図１１で説明したような状況が生じ場合に初期の係止機能が損なわれるという事態を防止することはできない。
【０００８】
本発明は以上の事情の下でなされたものであり、挿入部に設けられている爪片に、いびつな撓み変形や座屈が生じにくくなるような対策を講じることによって、上記した「改ざん」を可能な限り防止し、同時に、高湿度環境下でも初期の係止機能を確保することのできる結束バンドを提供することを目的とする。
【０００９】
また、本発明は、爪片や爪部の先端部が容易に押し潰されてしまうという事態が簡単には生じなくなるような対策を講じることによって、上記した「改ざん」を可能な限り防止し、同時に、高湿度環境下でも初期の係止機能を確保することのできる結束バンドを提供することを目的とする。
【００１０】
さらに、本発明は、上記した支持面による後退変位阻止作用が、より有効に発揮される結束バンドを提供することを目的とする。
【００１１】
【課題を解決するための手段】
本発明に係る結束バンドでは、可撓性の長いバンド体の基部に筒形の挿入部が設けられ、この挿入部の内部にその入口側から出口側に向かって突き出た弾性変形可能な爪片が設けられ、上記バンド体に、このバンド体を上記挿入部に入口側から出口側に向けて挿入するときには上記爪片を乗り越えかつ上記バンド体が上記挿入部に挿入されているときには上記爪片に係止してそのバンド体の出口側から入口側に向く引抜きを阻止する多数の爪部が鋸歯状に並べて設けられている。
【００１２】
このため、バンド体をループ状にして挿入部にその入口側から出口側に向けて挿入するときには、バンド体に鋸歯状に並べて設けられいる爪部が、挿入部の爪片を次々と乗り越えてそのバンド体が挿入部に挿通され、こうしてバンド体が挿入部に挿通されると、挿入部に設けられている爪片に、バンド体側の所定の爪部が係止してバンド体を挿入部から引き抜くことができなくなる。したがって、ループを形成したバンド体で、たとえば袋物の開き口や施錠部分を封緘したり、配線類を結束したりすることが可能である。
【００１３】
また、本発明に係る結束バンドでは、上記爪片の背面側に、その爪片の基部と先端部との間に亘るリブが設けられている。このため、爪片がリブにより補強されていびつな撓み変形や座屈を生じにくくなる。したがって、上記した「改ざん」が行われにくくなる。また、結束バンドが６６ナイロンのような吸湿性を持つ合成樹脂で一体成形されているような場合に、高湿度環境下でも初期の係止機能が確保されやすくなる。
【００１４】
本発明において、上記リブは爪片を補強してその爪片に撓み変形や座屈を生じにくくする働きを担うので、そのようなリブを爪片に設けた場合には、バンド体を挿入部に挿入するときにバンド体の爪部が幾分かは爪片を乗り越えにくくなる。そこで、リブにより爪片が補強される程度を、爪部が爪片を乗り越えるときの障害にならならい程度に抑制しておくことが望ましい。このような補強の程度の調節は、リブの本数や高さなどを調節することによって容易に可能である。
【００１５】
本発明に係る結束バンドでは、上記爪部が、上記爪片の先端面に係止される立上り面と、この立上り面の反対側に位置する傾斜面と、上記立上り面の先端と上記傾斜面の先端とをつなぐ幅広頂面とを有して断面台形状に形成されていることが望ましい。爪部がこのような断面台形状に形成されていると、爪部の先端部が押し潰されてしまうという事態が簡単には生じなくなる。
【００１６】
また、上記爪片と上記リブとの両方の先端面が、上記爪部を係止する面一の係止面として形成されていることが望ましい。このようになっていると、爪部が係止したときの力が爪片とリブとの両方で受け止められてその力が分散されるので、爪片の先端面だけにその力が局部的に加わって爪片の先端部が押し潰されてしまうという事態が簡単には生じなくなる。
【００１７】
本発明に係る結束バンドでは、上記爪片との対向箇所に位置する上記挿入部の内面が、その挿入部に挿入された上記バンド体の上記爪片に対する後退変位を阻止する支持面として形成されていることが望ましい。このようになっていると、リブによる爪片の補強作用や爪部や爪片の先端部が押し潰されにくい形状になっていることなどと、上記支持面による後退変位阻止作用とが相まって、上記した「改ざん」が有効に防止され、同時に、結束バンドが６６ナイロンのような吸湿性を持つ合成樹脂で一体成形されているような場合に、高湿度環境下でも初期の係止機能が確保されやすくなる。
【００１８】
【００１９】
【発明の実施の形態】
図１は本発明の結束バンドＡの実施の一形態を示した側面図、図２は上記結束バンドＡを表側から見た正面図、図３は上記結束バンドＡを裏側から見た正面図、図４は図２のＩＶ部の拡大図である。また、図５は図３のＶ−Ｖ線に沿う断面図、図６は図４のＩＶ−ＩＶ線に沿う断面図、図７は使用状態の断面図である。
【００２０】
結束バンドＡは６６ナイロンのような強靱な合成樹脂で一体成形されている。この結束バンドＡにおいて、図１〜図３のように可撓性を有する長いバンド体１の基部１１に筒形の挿入部３が一体に設けられている点、図４及び図６のように挿入部３の内部に、その入口３１側から出口３２側に向かって斜めに突き出た弾性変形可能な爪片４が設けられている点、図３及び図５のようにバンド体１の裏面側に多数の爪部５が鋸歯状に並べて設けられている点、バンド体１の基部１１に、図１及び図２のように挿入部３と共に板片部２が一体に連設されている点、などは、従来例として図１０で説明した結束バンドと同様である。
【００２１】
したがって、この結束バンドＡでは、図１に一点鎖線で示したようにループ状にしたバンド体１を、挿入部３に、その入口３１側から出口３２側に向けて挿通させると、挿入部３側の爪片４を撓ませながら乗り越えたバンド体１側の所定の爪部５の立上り面５１が爪片４の先端部４２に係止され、挿入部３の出口３２側から入口３１側に向かってバンド体１が引き抜かれることを阻止する。したがって、ループを形成したバンド体１で、たとえば袋物の開き口を結束して封緘したり、施錠部分を封緘したりすることが可能である。
【００２２】
図４及び図６のように、爪片４の背面側に、その爪片４の基部４１と先端部４２との間に亘るリブ６が一体に設けられている。図例では、リブ６の高さ（爪片４の背面からのリブ６の突出幅）が、爪片４の基部４１で最も低く、爪片４の先端部４２に近い位置ほど高くなっている。したがって、このリブ６の補強作用によって、爪片４が反返りなどのいびつな撓み変形や座屈を起こしにくくなっているけれども、爪片４がその基部４１を中心にして爪片４の全体が前後に揺動することは可能である。そのため、バンド体１を挿入部３に挿通させたときに、爪部５が挿入部３側の爪片４を撓ませながら乗り越える作用が、リブ６に阻害されることはない。図４のように、リブ６は爪片４の背面に２本設けられているけれども、リブ６の本数は３本以上であっても、１本であってもよく、その本数は、リブ６の高さや爪片４の補強程度を勘案して適切に定められる。
【００２３】
また、図６で判るように、爪片４とリブ６との両方の先端面４２ａ，６ａは面一の係止面６１として形成されている。
【００２４】
図５のように、バンド体１に鋸歯状に設けられている爪部５は、バンド体１の裏面から略直角に立ち上げられた立上り面５１と、この立上り面５１の反対側に位置する傾斜面５２と、それらの立上り面５１の先端と傾斜面５２の先端とをつなぐ幅広頂面５４とを有して断面台形状に形成されている。したがって、この爪部５の先端部は、図１０で説明した従来例とは異なる形状、すなわち平坦形状になっている。
【００２５】
一方、爪片４との対向箇所に位置する挿入部３の内面は、その挿入部３に挿入されたバンド体１の爪片４に対する後退変位を阻止する支持面３３として形成されている。この支持面３３の形状は、図１０で説明した従来例と同様である。
【００２６】
以上のように構成された結束バンドＡでは、爪片４がリブ６により補強されていびつな撓み変形や座屈を生じにくくなっているので、図７に示したような封緘状態、すなわち挿入部３に挿通されたバンド体１の所定の爪部５が爪片４に係止しているときに、爪部５が爪片４の先端部４２をその基部４１側に向けて強く押しつけるような状況が生じても、爪片４が、図１１で説明したようないびつな撓み変形ないし座屈を起こして反り返った形状になったりすることが起こりにくい。しかも、爪部５の先端部が平坦形状になっていることや、爪部５の立上り面５１が、爪片４とリブ６との両方の先端面４２ａ，６ａによって形成されている面一の係止面６１に係止することにより、爪片４の先端部４２や爪部５の先端部が強く押し合って押し潰されたりするような事態も起こりにくい。その上、支持面３３によってバンド体１の後退変位阻止作用が発揮される。
【００２７】
したがって、封緘作業時に、手動結束工具などの封緘工具を使って、故意に、推奨される締付け力以上の力でその結束バンドが引き締められたとしても係止機能が簡単には損なわれず、そのことが、冒頭で説明した「改ざん」を防ぐことに役立つ。また、結束バンドが６６ナイロンのような吸湿性を持つ合成樹脂で一体成形されているような場合に、高湿度環境下で、推奨される締付け力以上の力でその結束バンドが引き締められても、初期の係止機能が損なわれるという事態が起こりにくい。
【００２８】
図８は別の発明の結束バンドの実施の他の形態の要部を拡大した断面図である。この結束バンドでは、爪片４の肉厚が、基部４１で最も薄くかつ先端部４２に近づくほど漸増する形に形成されていると共に、幅方向ではその肉厚が一様になっている。このようになっていると、上記したリブ６を設けていなくても、爪片４が撓み変形や座屈を生じない強度を有するようになるので、挿入部３に挿通されたバンド体の所定の爪部が爪片４に係止しているときに、爪部が爪片４の先端部４２をその基部４１側に向けて強く押しつけるような状況が生じても、爪片４が、図１１で説明したようないびつな撓み変形ないし座屈を起こして反り返った形状になったりすることが起こりにくい。また、爪片４の先端部４２が押し潰されたりするような事態も起こりにくい。その反面で、爪片４の基部は肉薄になっているので、挿入部３にバンド体１を挿入するときの爪片４の前後の揺動は支障なく行われる。
【００２９】
図９はさらに別の発明の結束バンドの実施の他の形態の要部を拡大した断面図である。この結束バンドでは、爪片４の基部に、この爪片４を前後に揺動しやすくするための凹入状の盗み部４３を具備させてある。このようになっていると、爪片４の肉厚を撓み変形や座屈を生じない程度に厚くしても、その爪片４の前後の揺動が、盗み部４３を有する基部４１によって可能になる。
【００３０】
図８及び図９には、図７に付した符号と同一の符号でそれと同一の要素を示してある。
【００３１】
【発明の効果】
以上のように、本発明に係る結束バンドによると、爪片と爪部とによる係止機能を損なわせているにもかかわらず、挿入部にバンド体が適正に挿入されて封緘が行われているように見せかけるという「改ざん」が効果的に防止される。また、６６ナイロンのような吸湿性を持つ合成樹脂で一体成形されているような結束バンドであっても、高湿度環境下で、推奨される締付け力以上の力でその結束バンドが引き締められたときに初期の係止機能が損なわれるという事態が起こりにくくなる。
【００３２】
本発明に係る結束バンドは、袋物の封緘だけでなく、一般的な電気配線やハーネスなどの結束、袋のラッピングなどにも利用することが可能である。
【図面の簡単な説明】
【図１】  本発明の結束バンドの実施の一形態を示した側面図である。
【図２】  上記結束バンドを表側から見た正面図である。
【図３】  上記結束バンドを裏側から見た正面図である。
【図４】  図２のＩＶ部の拡大図である。
【図５】  図３のＶ−Ｖ線に沿う断面図である。
【図６】  図４のＩＶ−ＩＶ線に沿う断面図である。
【図７】  使用状態の断面図である。
【図８】  別の発明の結束バンドの実施の他の形態の要部を拡大した断面図である。
【図９】  さらに別の発明の結束バンドの実施の他の形態の要部を拡大した断面図である
。
【図１０】  従来の結束バンドの使用状態の断面図である。
【図１１】  従来の問題点を示した部分拡大断面図である。
【符号の説明】
Ａ  結束バンド
１  バンド体
３  挿入部
４  爪片
５  爪部
６  リブ
６ａ  リブの先端面
１１  バンド体の基部
３１  入口
３２  出口
３３  支持面
４１  爪片の基部
４２ａ  爪片の先端面
４３  盗み部
５１  立上り面
５２  傾斜面
５４  幅広頂面
６１  係止面
【図１】
0004139504.tif 000002
【図２】
0004139504.tif 000003
【図３】
0004139504.tif 000004
【図４】
0004139504.tif 000005
【図５】
0004139504.tif 000006
【図６】
0004139504.tif 000007
【図７】
0004139504.tif 000008
【図８】
0004139504.tif 000009
【図９】
0004139504.tif 000010
【図１０】
0004139504.tif 000011
【図１１】
0004139504.tif 000012